【手続補正書】
【提出日】令和2年4月30日(2020.4.30)
【手続補正１】
【補正対象書類名】明細書
【補正対象項目名】０００９
【補正方法】変更
【補正の内容】
【０００９】
本発明の第１の要旨によれば、磁性粒子を含有する磁性層を含む素体と、
素体に内蔵された第１コイルおよび第２コイルと、
素体の表面に設けられ、第１コイルおよび前記第２コイルの端部のいずれか１つにそれぞれ電気的に接続された第１外部電極、第２外部電極、第３外部電極および第４外部電極と
を有してなるＤＣ−ＤＣコンバータ用積層型コイルアレイであって、
第１コイルと第２コイルとの間に非磁性層が設けられており、
第１コイルおよび第２コイルはそれぞれ、複数のコイル導体が積層方向に連結されてなり
第１コイルの複数のコイル導体のうち第２コイルに最も近いコイル導体から引き出された端部が、第１外部電極に接続されるとともに、第１コイルの他方の端部は第２外部電極に接続され、
第２コイルの複数のコイル導体のうち第１コイルに最も近いコイル導体から引き出された端部が、第３外部電極に接続されるとともに、第２コイルの他方の端部は第４外部電極に接続され、
第１外部電極および第３外部電極が、ＤＣ−ＤＣコンバータのスイッチング素子の出力端子に接続される、ＤＣ−ＤＣコンバータ用積層型コイルアレイが提供される。
【手続補正２】
【補正対象書類名】明細書
【補正対象項目名】００１０
【補正方法】変更
【補正の内容】
【００１０】
本発明の第２の要旨によれば、第１の要旨に記載の積層型コイルアレイと、スイッチング素子と、コンデンサとを含む、ＤＣ−ＤＣコンバータであって、
第１外部電極および第３外部電極が、スイッチング素子の出力端子に接続される、ＤＣ−ＤＣコンバータが提供される。
【手続補正３】
【補正対象書類名】明細書
【補正対象項目名】００１９
【補正方法】変更
【補正の内容】
【００１９】
（非磁性層）
本実施形態に係る積層型コイルアレイ１において、素体２は、磁性層２１に加えて非磁性層２２を含む。非磁性層２２は、後述するように、第１コイル３１と第２コイル３２との間に設けられる。非磁性層２２を設けることにより、第１コイル３１と第２コイル３２との間の絶縁性を高めることができ、両者の間で短絡が発生するのを抑制することができる。非磁性層２２は、非磁性材料として、ガラスセラミック材料および非磁性フェライト材料等を含んでよい。非磁性層２２は、非磁性材料として非磁性フェライト材料を含むことが好ましい。非磁性フェライト材料としては、ＦｅがＦｅ２Ｏ３に換算して４０ｍｏｌ％以上４９．５ｍｏｌ％以下、ＣｕがＣｕＯに換算して６ｍｏｌ％以上１２ｍｏｌ％以下、残部がＺｎＯである組成を有する非磁性フェライト材料を用いることができる。非磁性材料は、必要に応じて添加物としてＭｎ３Ｏ４、Ｃｏ３Ｏ４、ＳｎＯ２、Ｂｉ２Ｏ３およびＳｉＯ２等が添加されていてよく、微量な不可避不純物を含有していてもよい。非磁性層２２は、好ましくはＺｎ−Ｃｕ系フェライトを含有する。
【手続補正４】
【補正対象書類名】明細書
【補正対象項目名】００２４
【補正方法】変更
【補正の内容】
【００２４】
本実施形態に係る積層型コイルアレイ１において、第１コイル３１の複数のコイル導体のうち第２コイル３２に最も近いコイル導体から引き出された端部は、第１外部電極４０１に接続されるとともに、第１コイル３１の他方の端部は第２外部電極４０２に接続される（後述の図３Ｑを参照）。一方、第２コイル３２の複数のコイル導体のうち第１コイル３１に最も近いコイル導体から引き出された端部は、第３外部電極４０３に接続されるとともに、第２コイル３２の他方の端部は第４外部電極４０４に接続される。そして、第１外部電極４０１および第３外部電極４０３が、ＤＣ−ＤＣコンバータのスイッチング素子の出力端子に接続される。ＤＣ−ＤＣコンバータのスイッチング素子の出力端子は通常、同一ラインに接続される。したがって、このように２つのコイルの互いに隣接するコイル導体を出力端子に接続することにより、隣り合うコイル導体間の電位差を小さくすることができ、隣り合うコイル導体間で短絡が発生するのを抑制することができる。
【手続補正５】
【補正対象書類名】明細書
【補正対象項目名】００２８
【補正方法】変更
【補正の内容】
【００２８】
非磁性層２２に接しているコイル導体を構成するコイル導体層のうち、非磁性層２２に接しているコイル導体層の長さは、他のコイル導体層の長さよりも短いことが好ましい。非磁性層２２に接しているコイル導体層の長さを短くし、コイル導体層が存在しない領域を磁性層で充填することにより、第１のコイルと第２のコイルの結合係数を向上させることができる。
【手続補正６】
【補正対象書類名】明細書
【補正対象項目名】００３４
【補正方法】変更
【補正の内容】
【００３４】
本発明の一の実施形態に係るＤＣ−ＤＣコンバータは、上述した積層型コイルアレイと、スイッチング素子と、コンデンサとを含む、ＤＣ−ＤＣコンバータであって、第１外部電極４０１および第３外部電極４０３が、スイッチング素子の出力端子に接続される。
【手続補正７】
【補正対象書類名】明細書
【補正対象項目名】００４３
【補正方法】変更
【補正の内容】
【００４３】
（非磁性材料）
非磁性材料として、ガラスセラミック材料および非磁性フェライト材料等を用いることができるが、非磁性フェライト材料を用いることが好ましい。非磁性フェライト材料としては、ＦｅがＦｅ２Ｏ３に換算して４０ｍｏｌ％以上４９．５ｍｏｌ％以下、ＣｕがＣｕＯに換算して６ｍｏｌ％以上１２ｍｏｌ％以下、残部がＺｎＯである組成を有する非磁性フェライト材料を用いることができる。非磁性材料は、必要に応じて添加物としてＭｎ３Ｏ４、Ｃｏ３Ｏ４、ＳｎＯ２、Ｂｉ２Ｏ３およびＳｉＯ２等が添加されていてよく、微量な不可避不純物を含有していてもよい。
【手続補正８】
【補正対象書類名】明細書
【補正対象項目名】００４６
【補正方法】変更
【補正の内容】
【００４６】
Ａｇ粉末を準備し、所定量の溶剤（オイゲノール（４−アリル−２−メトキシフェノール）等）、樹脂（エチルセルロース等）、および分散剤を加えて混錬することにより、導電性ペーストを調製する。ここで、Ａｇ粉末の平均粒径（体積基準のメジアン径Ｄ５０）は、１μｍ以上１０μｍ以下であることが好ましい。第１コイル３１および第２コイル３２ならびに第１〜第４外部電極４０１〜４０４は、同じ導電性ペーストを用いて形成してよいが、異なる組成を有する導電性ペーストを用いて形成してもよい。
【手続補正９】
【補正対象書類名】明細書
【補正対象項目名】００７５
【補正方法】変更
【補正の内容】
【００７５】
本発明は以下の態様を含むが、これらの態様に限定されるものではない。
（態様１）
磁性粒子を含有する磁性層を含む素体と、
素体に内蔵された第１コイルおよび第２コイルと、
素体の表面に設けられ、第１コイルおよび前記第２コイルの端部のいずれか１つにそれぞれ電気的に接続された第１外部電極、第２外部電極、第３外部電極および第４外部電極と
を有してなるＤＣ−ＤＣコンバータ用積層型コイルアレイであって、
第１コイルと第２コイルとの間に非磁性層が設けられており、
第１コイルおよび第２コイルはそれぞれ、複数のコイル導体が積層方向に連結されてなり
第１コイルの複数のコイル導体のうち第２コイルに最も近いコイル導体から引き出された端部が、第１外部電極に接続されるとともに、第１コイルの他方の端部は第２外部電極に接続され、
第２コイルの複数のコイル導体のうち第１コイルに最も近いコイル導体から引き出された端部が、第３外部電極に接続されるとともに、第２コイルの他方の端部は第４外部電極に接続され、
第１外部電極および第３外部電極が、ＤＣ−ＤＣコンバータのスイッチング素子の出力端子に接続される、ＤＣ−ＤＣコンバータ用積層型コイルアレイ。
【手続補正１０】
【補正対象書類名】明細書
【補正対象項目名】００７６
【補正方法】変更
【補正の内容】
【００７６】
（態様２）
態様１に記載の積層型コイルアレイと、スイッチング素子と、コンデンサとを含む、ＤＣ−ＤＣコンバータであって、
第１外部電極および第３外部電極が、スイッチング素子の出力端子に接続される、ＤＣ−ＤＣコンバータ。
【手続補正１１】
【補正対象書類名】図面
【補正対象項目名】図３Ｏ
【補正方法】変更
【補正の内容】
【図３Ｏ】
2020061415.tif 000001
【手続補正１２】
【補正対象書類名】図面
【補正対象項目名】図３Ｐ
【補正方法】変更
【補正の内容】
【図３Ｐ】
2020061415.tif 000002
【手続補正１３】
【補正対象書類名】図面
【補正対象項目名】図３Ｑ
【補正方法】変更
【補正の内容】
【図３Ｑ】
2020061415.tif 000003